(57)【要約】      （修正有）【課題】容易に手袋を裏返す事ができる手袋裏返し器具を提供する。【解決手段】手袋裏返し器具は、四角形の台座１と、台座１の上面に設けられた複数の棒状突起物２〜５を備える。手袋を手にはめた状態で棒状突起物２〜５の先端に指を添える。その際、親指のみ外しておく。４本の指を先端に添えた状態で、反対の手で手袋を下方にめくりながら下ろし、手袋を外す。手袋の指先まで裏返るように下方に下ろす。４本すべて裏返ったら手袋を器具から外し、次に親指のみを同じ方法で裏返す。【選択図】図５
0003235494.tif 000002
【実用新案登録請求の範囲】
【請求項１】
手袋を手にはめた状態で、棒状の突起物の先端に指先を添えた状態で手袋を下方にめくりながらおろし、外す事で、容易に手袋を裏返すことができる手袋裏返し器具。
【請求項２】
棒状の突起物の先端に凹状のへこみをもたせる事で、手袋を外す動作中に指先が先端からずれにくくする事を特徴とした手袋裏返し器具。
【請求項３】
棒状の突起物の並びをアーチ状にする事で、指先を突起物の先端に添えやすくなる事を特徴とした手袋裏返し器具。
【請求項４】
棒状の突起物の長さを変える事で、各指の長さが違っても、指先を突起物の先端に添えやすくなる事を特徴とした手袋裏返し器具。
【請求項５】
台座を設ける事で、手袋を外す動作中に器具が安定事を特徴とした手袋裏返し器具。
【請求項６】
棒状の突起物の先端に面取りにより丸みをもたせる事で、手袋の生地を傷めない事を特徴とした手袋裏返し器具。
【考案の詳細な説明】
【技術分野】
【０００１】  本考案は、手袋を裏返すために使用する器具に関するものである。
【背景技術】
【０００２】  汚れた手袋を裏返して洗濯したい時に、裏返すのが困難で、時間がかかっていた。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】  洗濯すればまだ使用できる手袋が、直接手が触れる面の洗濯が困難なため捨てられてしまう事がある。容易に裏返して洗濯でき、再使用することで使い捨てによる環境汚染問題や、経済面での負担軽減の解決をしようとするものである。
【課題を解決するための手段】
【０００６】  本考案の器具を使用することで、容易に手袋を裏返すことが出来る。
【考案の効果】
【０００７】  本考案の器具を使用することで、手袋の裏返し作業を容易にする事ができる。これにより、手袋の洗濯や乾燥が容易になり、手袋の使い捨てを防ぐ事ができる。
【図面の簡単な説明】
【０００８】
【図１】本考案の手袋裏返し器具の正面図である。
【図２】本考案の手袋裏返し器具の側面図である。
【図３】本考案の手袋裏返し器具の上面図である。
【図４】本考案の手袋裏返し器具の使用工程（第１工程）図である。
【図５】本考案の手袋裏返し器具の使用工程（第２工程）図である
【図６】本考案の手袋裏返し器具の使用工程（第３工程）図である
【図７】本考案の手袋裏返し器具の使用工程（第４工程）図である
【考案を実施するための形態】
【０００９】  手袋を手にはめた状態で棒状の突起物の先端に指を添える。
その際、親指のみ手袋から外しておく。４本の指を先端に添えた状態で、反対の手で手袋を下方にめくりながら下ろし、手袋を外す。手袋の指先まで裏返るように下方に下ろす。
４本すべて裏返ったら手袋を器具から外し、次に親指のみを前記と同じ方法で裏返す。
【実施例】
【００１０】  以下、添付図面に従って一実例を説明する。１，２，３，４，５，はプラスチック又は金属等適宜素材にて一体化形成された本体。２，３，４，５の太さと長さは使用対象の手袋の大きさと形状により適した形状とする。
【産業上の利用可能性】
【００１１】
【符号の説明】
【００１２】１．  台座
２．  棒状突起物
３．  棒状突起物
４．  棒状突起物
５．  棒状突起物
【図１】
0003235494.tif 000003
【図２】
0003235494.tif 000004
【図３】
0003235494.tif 000005
【図４】
0003235494.tif 000006
【図５】
0003235494.tif 000007
【図６】
0003235494.tif 000008
【図７】
0003235494.tif 000009
【手続補正書】
【提出日】令和3年6月23日(2021.6.23)
【手続補正１】
【補正対象書類名】実用新案登録請求の範囲
【補正対象項目名】請求項１
【補正方法】変更
【補正の内容】
【請求項１】
四角形の台座と該台座の上面に設けられた複数の棒状突起物を備える手袋裏返し器具であって、手袋を手にはめた状態で、棒状の突起物の先端に指先を添えた状態で手袋を下方にめくりながらおろし、外す事で、容易に手袋を裏返すことができる手袋裏返し器具。
【手続補正２】
【補正対象書類名】実用新案登録請求の範囲
【補正対象項目名】請求項２
【補正方法】変更
【補正の内容】
【請求項２】
前記棒状突起物の先端に凹状のくぼみを設け、手袋を外す動作中に指先が先端からずれにくくする事を特徴とした請求項１に記載の手袋裏返し器具。
【手続補正３】
【補正対象書類名】実用新案登録請求の範囲
【補正対象項目名】請求項３
【補正方法】変更
【補正の内容】
【請求項３】
前記棒状突起物の並びをアーチ状に配列する事により、指先を突起物の先端に添えやすくなる事を特徴とした請求項１又は２に記載の手袋裏返し器具。
【手続補正４】
【補正対象書類名】実用新案登録請求の範囲
【補正対象項目名】請求項４
【補正方法】変更
【補正の内容】
【請求項４】
前記棒状突起物の長さを変える事で、各指の長さが違っても、指先を突起物の先端に添えやすくなる事を特徴とした請求項１ないし３のいずれか１項に記載の手袋裏返し器具。
【手続補正５】
【補正対象書類名】実用新案登録請求の範囲
【補正対象項目名】請求項５
【補正方法】変更
【補正の内容】
【請求項５】
前記棒状突起物の先端に面取りにより丸みをもたせる事で、手袋の生地を傷めない事を特徴とした請求項１ないし４のいずれか１項に記載の手袋裏返し器具。
【手続補正書】
【提出日】令和3年9月13日(2021.9.13)
【手続補正１】
【補正対象書類名】実用新案登録請求の範囲
【補正対象項目名】全文
【補正方法】変更
【補正の内容】
【実用新案登録請求の範囲】
【請求項１】
四角形の台座と該台座の上面に設けられた複数の棒状突起物を備える手袋裏返し器具であって、手袋を手にはめた状態で、棒状の突起物の先端に指先を添えた状態で手袋を下方にめくりながらおろし、外す事で、容易に手袋を裏返すことができる手袋裏返し器具。
【請求項２】
前記棒状突起物の先端に凹状のくぼみを設け、手袋を外す動作中に指先が先端からずれにくくする事を特徴とした請求項１に記載の手袋裏返し器具。
【請求項３】
前記棒状突起物の並びをアーチ状に配列する事により、指先を突起物の先端に添えやすくなる事を特徴とした請求項１又は２に記載の手袋裏返し器具。
【請求項４】
前記棒状突起物の長さを変える事で、各指の長さが違っても、指先を突起物の先端に添えやすくなる事を特徴とした請求項１ないし３のいずれか１項に記載の手袋裏返し器具。
【請求項５】
前記棒状突起物の先端に面取りにより丸みをもたせる事で、手袋の生地を傷めない事を特徴とした請求項１ないし４のいずれか１項に記載の手袋裏返し器具。